(57)【要約】  本発明は、赤色及び緑色に基づくカラーコードを使用してドアの開く方向を示すデバイスに関する。赤色は、ドアが可動部分を有する場合に、そのドアを引くべきであることを信号するのに使用されるが、引き戸又は自動的に開く可動部分を有するドアである場合には、近接センサがユーザの反対側にあり、したがってユーザの側では開かないことを示す。緑色は、開く方向が前向きの移動の方向であること、すなわち可動部分からなるドアは押すべきであるが、自動ドア、引き戸、又は開き戸タイプのドアは、人の近接に従って、その人が接近しているのと同じ側に開くことを示す。したがってユーザは、一連のドアの機能を予想し、本発明は、人々が戸口を通過する際にそれらの人々にとって著しい時間の節約を達成し、事故を防ぎ、ドアが動作する方向を示すために色を使用することによって言葉の障壁を克服する。【選択図】  図５ｂ
2009533574.tif 000002
【特許請求の範囲】
【請求項１】
赤色及び緑色に基づくカラーコードを使用して、それらの色を通じて出入りする人々の予期される準備をするようにする信号機を備えることを特徴とするドア開閉インジケータデバイス。
【請求項２】
背景の色がメタリックグレイであることを特徴とする、請求項１に記載のドア開閉インジケータデバイス。
【請求項３】
前記信号機が３次元の形態で提示されることを特徴とする、請求項１に記載のドア開閉インジケータデバイス。
【請求項４】
前記信号機が前記ドアの両側にあることを特徴とする、請求項１に記載のドア開閉インジケータデバイス。
【請求項５】
前記ドアが手動ドアであることを特徴とする、請求項１に記載のドア開閉インジケータデバイス。
【請求項６】
前記ドアが自在ドアの一種であることを特徴とする、請求項１に記載のドア開閉インジケータデバイス。
【請求項７】
前記赤色が、前記ドアを押してはならないことを意味することを特徴とする、請求項１に記載のドア開閉インジケータデバイス。
【請求項８】
前記緑色が、前記ドアを押さなければならないことを意味することを特徴とする、請求項１に記載のドア開閉インジケータデバイス。
【請求項９】
前記赤色が、前記ドアが出口用であることを意味することを特徴とする、請求項１に記載のドア開閉インジケータデバイス。
【請求項１０】
前記緑色が、前記ドアが入口用であることを意味することを特徴とする、請求項１に記載のドア開閉インジケータデバイス。
【発明の詳細な説明】
【発明の分野】
【０００１】
本発明は、人々が通過する現場に標識を示すことに関し、具体的には、カラーコードによる、ドアを整然と出入りするための、ドアが開く方向のインジケータに関する。
【従来技術の説明】
【０００２】
今日では、しばしば我々の周囲にあるさまざまなシステムの挙動及びはたらきに関する標識を示すことが必須になっており、この標識は、言葉の障壁又は現地語の理解を超越したものでなければならない。多くの信号装置が、ホテル、空港、映画館、ショッピングセンターなどの建物内の避難経路、或いは他の緊急事態及び／又は警告及び／又は情報のシンボルを示すのに図画を使用することは、これを念頭に置いたものである。
【０００３】
シンボルや図という伝達手段は、万国の理解を有し、そのようなものとして全世界で使用されている。
【０００４】
別の形態の全世界的な伝達手段は、光と関連させて、又は光とは無関係に、所定の色を使用することによって与えることができる情報であり、これは、停止信号などの道路案内標識で広く使用されている。実際には、それに使用される色は、標準化されている。たとえば赤は、停止や危険（禁止）を表し、緑は、通過や自由（許可）を表す。
【０００５】
後者の例は、「Ｂｏａｒｄｉｎｇ  ｈａｌｌ  ｃａｌｌ  ｒｅｇｉｓｔｒａｔｉｏｎ  ｍｅｔｈｏｄｓ  ａｎｄ  ｉｔｓ  ｄｅｖｉｃｅ」という名称の特許文書、国際公開第０１／７１１０１号パンフレット（Ｙｏｓｈｉｄａ他）で見ることができ、これは、一連のエレベータのアクセスホールについて記載したものであり、それによれば、それぞれのエレベータごとに、番号及び色の付いたインジケータパネルがあり、各エレベータにも、その番号及び色がそのドアの最上部に配置されている。インジケータパネルは、それぞれのエレベータごとに点灯できるボタンと、各ボタンの隣に、割り当てられたセクタのインジケータライトとを提供する。乗客は、セクタ１のあるフロアに行きたい場合には、そのセクタに対応するボタンを押し、これが識別されて、セクタインジケータの制御部に送信される。そのセクタの入力が登録されると、押されたボタンが点灯する。あるエレベータがセクタ１に割り当てられると、セクタ１に対応するインジケータが点灯し、同時にエレベータのドアの最上部のインジケータも点灯する。
【０００６】
ドアの特定の事例について、自在ドアの場合にそれらのドアが開く方向に関する情報を与えることに関しては、人が前記ドアを開くには引かなければならないか、又は押さなければならないかを示す、１つの言語での、多くとも２つの言語での言葉を伴う中ぐらいの高さの標示が使用され、これは、当の言語を知る人には理解できる。
【０００７】
同じことが、「入口」や「出口」などの言葉を伴う標示を使用する自動自在ドアや自動引戸についても発生する。というのは、それらのドアには近接センサがあり、この近接センサが、そのドアをその片側でのみ機能させるためである。
【０００８】
前者の場合には、提供される情報が、それらのドアを通過する必要があるすべての人に役立つとは限らず、たとえば、その言語を知らない人の役には立たない。
【０００９】
後者のために、全世界で広く知られている赤色及び緑色を使用するカラーコードによって、ドアを出入りしようとする人々が次に次に行う準備のための、ドアの開く方向のインジケータが提供されており、これは、ドアを通る通過をすばやく正確な方法で示す。
【発明の背景】
【００１０】
本発明の開発は、ドアを通る人の通過の無効果の観察に基づいて生まれたものであり、ドアを通る安全で円滑な通過に必要な情報を提供しない信号の存在がわかったときに、我々は、「ｔｉｒｅ−ｅｍｐｕｊｅ／ｐｕｓｈ−ｐｕｌｌ（押す−引く）」という文言を示す標識に着目した。
【００１１】
これ以外には、その一様な意味を添える、全世界で受け入れられ、認められた信号はない。
【００１２】
現在使用されている信号は、その有効性を低下させる深刻な限界を有する。それらのいくつかは、下記の中にある。
−ドアに示された文言「Ｐｕｓｈ（押す）」は、これらのドアが反対方向でそのドアを使用する人によって押される可能性があるかどうかという情報を与えることを可能にせず、これは、わずかな時間差のうちに反対方向で操作を試みる人にとっての事故の危険性を帯びた状況である。この説明した状況は、現在の信号が、ドアがいつ両方向で１８０°スイングを伴って動作するかを知らせることができないということを意味する。
−現在の信号は、そのコードの中に、いつドアがブロックされているかを知らせる可能性を組み込んでいない。このケースは、熱又は空気の調節がその場所から逃れるのを防止又は阻止するという究極性を伴って連続して設置されているドアにおいて、繰り返し見受けられる。動作方向に関する情報を伴わないブロックされたドアの存在によって、それらのドアを開けようとする人々は、延々と試行することになり、それによって不快及び非効率が生じ、それらの不快及び非効率は、時間的な正味の損失として表され、地球規模の条件で測定された損失は、間違いなく数千時間／人／年となり、経済的見地から定量化可能である。前述のコストに、深刻な限界を有する信号によって引き起こされる事故のコストを追加しなければならない。
−ドアが、「Ｐｕｌｌ（引く）」という言葉を伴う歌唱を有する場合、そのドアを反対方向から開く人がそのドアを押すことだけが可能か、又は引くことだけが可能かを判断することは不可能であり、これの究極的な状況は、１８０°スイングを有するドアである。
−コードが使用されているのとは反対側からドアがどのように操作されるかを信号することがそのコードの中にない場合には常に、現在の信号及び標識は、ドアを通る安全で円滑な通過を行うのに必要な情報の１００％を伝えることはできない。
−現在の信号は、その言語特有の障壁を課し、それらの障壁が前述の欠点に追加されると、その信号は、国際社会によって軽んじられる製品になる。
【００１３】
本発明は、上記問題点に勝る実用的な応用を思い付くことを可能にする論理的定式化を探し求めることから生まれている。
【００１４】
発明特許文書検索が、ＥＰ（欧州特許庁）、ＵＳ（米国特許商標局）、及びＤＰＩ（チリの工業所有権局）などの主要な世界のデータベースに対して実行され、前記検索は、１０００件を超える文書の分析となり、本明細書で展開されているものに類似する特許は、見つからなかった。
【００１５】
この開発されたデバイスの主な長所の１つは、ドアが使用されている方向からだけでなく、それらのドアを反対方向から使用する人々の視点からも、ドアの全動作を知るのに必要な情報の１００％の（ドアに接触する前の約４〜５ｍという最小距離での）予期される伝達を行うことに関する。後者が意味するのは、このデバイスが、ドアが使用されている方向からそのドアが何を行えるかに関する情報を与えると同時に、反対方向からこれらのドアを使用する人々によってこれらのドアが操作され得る方向に関する情報を提供することもでき、標示「ｐｕｓｈ／ｐｕｌｌ」又は「ｔｉｒｅ／ｅｍｐｕｊｅ」としても知られている現在のデバイスの有用性に勝るということである。
【００１６】
たったいま述べたものは、情報の欠如によって引き起こされる事故の危険性を大幅に減らし、それらのドアを通る安全で円滑な通過を行うための平均速度を高めることを可能にする。
【００１７】
本発明の明白な利点は、非効率的な又は存在しない信号によって引き起こされる現在の非効率を避けることによって、人々によってドアを通過する際に達成される、時間の重要な節約に相当する。
【００１８】
全世界規模では、時間／人／年単位で表される時間の節約は、多数の経済的リソースの総計に達する可能性がある。
【好ましい実施形態の詳細な説明】
【００１９】
本発明は、赤色及び緑色に基づくカラーコードを使用する、手動自在ドアの、全般的なドアを開く方向のインジケータを提供する。
【００２０】
その設計は、各ドアの両側面の上部でドアのヒンジ部分の反対に設置されなければならないカードに対応し、この設計は、３次元で描かれた２つの収束する矢印を有し、これらの矢印は、ドアが押されることだけが可能である場合には第１矢印が緑でなければならず第２矢印が赤でなければならず、ドアが開けるために引かれることだけが可能である場合には第１矢印が赤でなければならず第２矢印が緑色でなければならない態様で配置され、次の２つのオプションは、ブロックされたドアに対応し、この場合には両方の矢印の色が赤でなければならず、その一方で、ドアが両方向に作動する（１８０°自在ドア）場合には、第１及び第２の矢印の色は緑でなければならない（図面を参照されたい）。
【００２１】
この方法では、ユーザは、より適切な断熱のために二重のドアが必要な場所、すなわち、たとえば外部と比較して場所において空気調整又は加熱をより効率的にするために温度を維持することが必要な場所で必ず発生する、順番になっている一連のドアの働きを予測する。
【００２２】
本発明の別の利点は、ドアを通り抜けるために現在ブロックされているドアを選択する人々にとっての不愉快及び不機嫌を避けることである。というのは、現在のデバイス「ｐｕｓｈ−ｐｕｌｌ」では、この状況について知らせることにならないからである。開発された開示は、何度も非常に深刻になる可能性がある事故を避けることを可能にする。
【００２３】
前述のように、本発明のインジケータは、ドアが動作する方向を示すのに色を使用することによって言葉の障壁を破り、理解しやすい全世界的な応用例を有することができる。
【００２４】
ドア開閉インジケータを実装する方法は、３次元的に描かれた２つの矢印を有するカードを介するものであり、そのカードは、ドアの上部でその支持部（ヒンジ）と反対の側面に配置され、それらの２つの矢印は、前側及び反対側からのドアの動作を示し、下側の矢印は、前からのドアの動作を示す矢印であり、上側の矢印は、後ろからのドアの動作を示す矢印である。後者は、図１及び３によってよく説明され、この図１及び３は、ドアの前用の色、及びドアの後ろからの色という２つの色を含むドア用のコードを示しており、これらの図では、「Ｒ」は赤を意味し、「Ｖ」は緑を意味する。
【００２５】
本発明の別の実施形態は、１つのドアについては図５ａによって、２つのドアについては図５ｂによって示されているように、インジケータの斜視図において平らな標示を提供し、ここでは、この斜視図がドアの前から後ろへのものであることは明瞭である。
【００２６】
本発明のさらに別の実施形態では、ドア開閉インジケータは、尊敬する色の発光デバイスであり、色の光源は、ドアの最上部でその両側面に配置される。
【００２７】
本発明の別の態様では、インジケータは、光源を介してドアのカラー配置が処理されるパネルである。
【００２８】
次の表は、お互いの隣に立っている２つのドアの機能の可能な態様のリストを示している。
【表１】
2009533574.tif 000003
【応用例】
【００２９】
応用例が、図１に示されており、この図１では、ドア開閉インジケータは、図２に提示されているようなドアの開きを可能にする構成を有する。一方、別の応用例が図３に示されており、これは、図４に示されているように、ドアの両側及び両方向での開きを可能にする４つのドアのうちの２つを有する。
【図面の簡単な説明】
【００３０】
【図１】第１のカラーコード様式を有する４つのドアを示す上面図である。
【図２】図１によるドアを開くことを示す上面図である。
【図３】第２のカラーコード様式を有する４つのドアを示す上面図である。
【図４】図３によるドアを開くことを示す上面図である。
【図５ａ】１つのドア及び２つのドアに関する本発明の別の実施形態を示す斜視図である。
【図５ｂ】１つのドア及び２つのドアに関する本発明の別の実施形態を示す斜視図である。
【図１】
2009533574.tif 000004
【図２】
2009533574.tif 000005
【図３】
2009533574.tif 000006
【図４】
2009533574.tif 000007
【図５ａ】
2009533574.tif 000008
【図５ｂ】
2009533574.tif 000009
【国際調査報告】
2009533574.tif 000010
2009533574.tif 000011
2009533574.tif 000012
2009533574.tif 000013